(57)【要約】【課題】取り付けが簡単なうえに、縦目地と横目地との交差部の防水性に優れた防水部材を提供する。【解決手段】隣接して配置される外壁４１，４１間の継目に装着される防水部材１である。  そして、横方向に隣接する外壁間の縦目地４２に挿入される長尺状の平面視略Ｕ字形の凹部２１と、その凹部の両側縁に上下方向に延設されるフランジ部２２，２２とが防水性材料によって形成された縦目地止水部２と、縦目地止水部の下端においてフランジ部と略面一となるように横方向に延設される防水性材料によって形成されたエプロン部３と、縦目地止水部の底面を塞ぐとともにエプロン部と防水性が確保された状態で連続させる底面部とを備えている。【選択図】図１
2010255269.tif 000002
【特許請求の範囲】
【請求項１】
隣接して配置される外壁間の継目に装着される防水部材であって、
横方向に隣接する外壁間の縦目地に挿入される長尺状の平面視略Ｕ字形の凹部と、その凹部の両側縁に上下方向に延設されるフランジ部とが防水性材料によって形成された縦目地止水部と、
前記縦目地止水部の下端において前記フランジ部と略面一となるように横方向に延設される防水性材料によって形成されたエプロン部と、
前記縦目地止水部の底面を塞ぐとともに前記エプロン部と防水性が確保された状態で連続させる底面部とを備えたことを特徴とする防水部材。
【請求項２】
前記縦目地止水部は、前記縦目地の全長にわたって挿入可能な長さに形成されていることを特徴とする請求項１に記載の防水部材。
【請求項３】
前記縦目地止水部の前記凹部と前記フランジ部との角部付近の前記外壁側の面には、粘着層が形成されていることを特徴とする請求項１又は２に記載の防水部材。
【請求項４】
前記エプロン部の裏面には、粘着層が形成されていることを特徴とする請求項１乃至３のいずれか一項に記載の防水部材。
【請求項５】
請求項１乃至４のいずれか一項に記載の防水部材が装着される外壁の継目構造であって、
横方向に隣接する外壁間の縦目地に前記縦目地止水部の前記凹部が挿入されるとともに、前記外壁の下縁に沿って延設される横目地防水シートに前記エプロン部が積層され、
前記凹部には、長尺状のガスケットが挿入されることを特徴とする外壁の継目構造。
【請求項６】
複数の建物ユニットを隣接させて構築されるユニット建物であって、
前記外壁間の継目に請求項５に記載の外壁の継目構造が形成されたことを特徴とするユニット建物。
【発明の詳細な説明】
【技術分野】
【０００１】
本発明は、隣接して配置される外壁間の継目に装着される防水部材、及びその防水部材が装着される外壁の継目構造、及びその継目構造を備えたユニット建物に関するものである。
【背景技術】
【０００２】
従来、工場で製作された複数の建物ユニットを縦、横に積み重ねて構築するユニット建物が知られている。この建物ユニットには、工場で外壁まで取り付けられるので、隣接して配置された建物ユニット間には外壁間の継目が発生することになる。そこで、その継目には、ガスケットなどを挿入して防水処理をおこなうことになる（特許文献１，２など参照）。
【０００３】
すなわち、建物ユニットを縦、横に積み重ねた場合、横方向に隣接する建物ユニット間には縦目地が発生し、建物ユニットの下縁又は上縁には横目地が発生する。そして、縦目地にはガスケットを挿入し、横目地は防水シートで覆うことによって防水処理をおこなう。
【先行技術文献】
【特許文献】
【０００４】
【特許文献１】特開平７−２９２７９１号公報
【特許文献２】特開平６−３０６９６３号公報
【発明の概要】
【発明が解決しようとする課題】
【０００５】
しかしながら、このようなユニット建物の構成では、縦目地と横目地とが交差する箇所が必ず発生することになるが、この交差部に現地で防水性の高い防水処理をおこなうには手間がかかる。
【０００６】
特に、既設の住宅に対して、新たに建物ユニットを隣接させて増築をおこなう場合は、外部に露出されていた既設の住宅の外壁との間で継目が発生することになるので、継目周辺の既設住宅の外壁を一旦、取り外してから防水処理をおこなうなど作業工数が多くなる。
【０００７】
そこで、本発明は、取り付けが簡単なうえに、縦目地と横目地との交差部の防水性に優れた防水部材、及びその防水部材が装着される外壁の継目構造、及びその継目構造を備えたユニット建物を提供することを目的としている。
【課題を解決するための手段】
【０００８】
前記目的を達成するために、本発明の防水部材は、隣接して配置される外壁間の継目に装着される防水部材であって、横方向に隣接する外壁間の縦目地に挿入される長尺状の平面視略Ｕ字形の凹部と、その凹部の両側縁に上下方向に延設されるフランジ部とが防水性材料によって形成された縦目地止水部と、前記縦目地止水部の下端において前記フランジ部と略面一となるように横方向に延設される防水性材料によって形成されたエプロン部と、前記縦目地止水部の底面を塞ぐとともに前記エプロン部と防水性が確保された状態で連続させる底面部とを備えたことを特徴とする。
【０００９】
ここで、前記縦目地止水部は、前記縦目地の全長にわたって挿入可能な長さに形成されているものであってもよい。
【００１０】
また、前記縦目地止水部の前記凹部と前記フランジ部との角部付近の前記外壁側の面には、粘着層が形成された構成であってもよい。さらに、前記エプロン部の裏面には、粘着層が形成された構成であってもよい。
【００１１】
また、本発明の外壁の継目構造は、上記した防水部材が装着される外壁の継目構造であって、横方向に隣接する外壁間の縦目地に前記縦目地止水部の前記凹部が挿入されるとともに、前記外壁の下縁に沿って延設される横目地防水シートに前記エプロン部が積層され、前記凹部には、長尺状のガスケットが挿入されることを特徴とする。
【００１２】
さらに、本発明のユニット建物は、複数の建物ユニットを隣接させて構築されるユニット建物であって、前記外壁間の継目に上記外壁の継目構造が形成されたことを特徴とする。
【発明の効果】
【００１３】
このように構成された本発明の防水部材は、縦目地に挿入される凹部が防水性材料によって形成された縦目地止水部と、その下端に横方向に延設される防水性材料のエプロン部とを備えている。また、縦目地止水部とエプロン部との間は、底面部によって防水性が確保された状態で連続されている。
【００１４】
このため、外壁間の継目に防水部材を装着するだけで、縦目地と横目地とが交差する箇所を含めて防水性が高い継目構造を構築することができる。
【００１５】
また、縦目地止水部を縦目地の全長にわたって挿入可能な長さに形成することで、縦目地に接続部を生じさせることなく、一度に防水構造を形成することができる。
【００１６】
さらに、縦目地止水部のフランジ部周辺に粘着層が形成されていれば、縦目地に挿入された縦目地止水部を外壁側に容易に固定させることができる。また、エプロン部の裏面に粘着層が形成されていれば、エプロン部を外壁側に容易に固定させることができる。
【００１７】
また、縦目地止水部の凹部にガスケットを挿入することで、縦目地を２重の防水構造にすることができる。さらに、横目地防水シートにエプロン部を積層させることで、横目地と縦目地とを連続した防水構造にすることができる。
【００１８】
また、このような防水部材を使った継目構造であれば、建物ユニットを組み合わせて構築されるユニット建物、又は建物ユニットを追加して増築されるユニット建物の防水性を、少ない工数で容易に高めることができる。
【図面の簡単な説明】
【００１９】
【図１】本発明の実施の形態の防水部材の構成を説明する斜視図である。
【図２】ユニット建物の構成を説明する斜視図である。
【図３】防水部材の構成を説明する平面図である。
【図４】防水部材の構成を説明する正面図である。
【図５】防水部材の構成を説明する側面図である。
【図６】外壁間の縦目地に防水部材を挿入する工程の説明図である。
【図７】外壁間の縦目地に挿入された防水部材にガスケットを挿入する工程の説明図である。
【図８】ユニット建物の二通りの増築パターンを説明する模式図である。
【発明を実施するための形態】
【００２０】
以下、本発明の実施の形態について図面を参照して説明する。
【００２１】
図１は、本実施の形態の防水部材１の構成を説明する斜視図、図２はこの防水部材１によって継目構造が設けられるユニット建物４０の構成を説明する斜視図である。
【００２２】
まず、図２を参照しながらユニット建物４０の構成から説明すると、このようなユニット建物４０は、工場で製作される複数の建物ユニット４，・・・を現場で接合し、屋根４５を設けることによって構築される。
【００２３】
また、建物ユニット４は、例えば四隅に配置される鋼製の柱と、その柱の上端間及び下端間に架け渡される鋼製の梁とによって、ボックス形のラーメン構造体（骨組構造体）に形成される。
【００２４】
さらに、建物ユニット４の外側に露出される側面には、工場で外壁パネルを取り付けることで外壁４１が形成されている。このため、横方向に隣接する建物ユニット４，４間には、外壁４１，４１の側縁間に縦目地４２が形成される。また、上下方向に隣接する建物ユニット４，４間には、外壁４１の下縁と外壁４１の上縁との間に横目地４３が形成される。さらに、１階に設置される建物ユニット４の下縁には、基礎（図示省略）との間に横目地４４が形成される。
【００２５】
そこで、縦目地４２に対しては防水構造の縦継目１０を設け、横目地４３，４４に対しては防水構造の横継目１１，１２を設ける。ここでは、縦継目１０と横継目１１（１２）とを合わせて継目構造という。
【００２６】
この継目構造を構成する防水部材１は、図１に示すように、縦目地４２に挿入される凹部２１とその両側縁に延設されるフランジ部２２，２２とが形成された縦目地止水部２と、この縦目地止水部２の下端において横方向に延設されるエプロン部３と、縦目地止水部２とエプロン部３とを防水性が確保された状態で連続させる底面部３１とを備えている。
【００２７】
この縦目地止水部２は、ポリプロピレン等の合成樹脂材料を薄板状に成形した防水性材料によって、凹部２１とフランジ部２２，２２とが一体に形成される。本実施の形態の縦目地止水部２は、建物ユニット４の高さと略同じ長さに形成されている。
【００２８】
この縦目地止水部２の凹部２１は、横方向に隣接する外壁４１，４１間の縦目地４２の隙間に挿入される長尺状の部材であって、図３に示すように平面視略Ｕ字形の例えば５角形状に形成される。
【００２９】
また、フランジ部２２は、凹部２１の側縁に対して略直交する方向に折り曲げられるとともに、凹部２１と同様に上下方向に延設される。すなわち、凹部２１の両側縁にフランジ部２２，２２が延設された縦目地止水部２は、平面視略Ω字形に成形される。さらに、このフランジ部２２は、縦目地４２に縦目地止水部２を挿入した際には、外壁４１の表面に沿って延設されることになる。
【００３０】
また、この凹部２１とフランジ部２２との角部の外角側には、図３，５に示すように、フランジ部２２の側縁に沿って粘着層２３が積層されている。この粘着層２３は、ブチルゴムなどの粘着力を有する防水性材料によって形成される。
【００３１】
この粘着層２３は、材料自体が粘着性を備えているので、凹部２１の外側面に固着させることができるうえに、縦目地４２に露出される外壁４１側にも両面テープのように固着させることができる。このため、装着前は、粘着層２３には離型紙２３ａを貼り付けておく。
【００３２】
また、縦目地止水部２の下端から垂下されるエプロン部３は、図３，５に示すように、フランジ部２２，２２と略面一となるように、フランジ部２２，２２の裏面側に設けられる。
【００３３】
このエプロン部３は、例えば、膜状のブチルゴムの背面にビニロン繊維などの補強材が積層されたゴム引布などの防水性材料によって、シート状に形成されている。
【００３４】
このエプロン部３は、縦目地止水部２の長手方向に略直交する横方向に延設される。すなわち、エプロン部３は、外壁４１の下縁に沿って延設されることになる。
【００３５】
そして、このエプロン部３の裏面の上縁には、図４，５に示すように、ブチルゴムなどの粘着力を有する粘着層３２が積層されている。また、この粘着層３２には、離型紙３２ａが貼り付けられる。
【００３６】
また、縦目地止水部２とエプロン部３とを連続させる底面部３１は、エプロン部３の上縁の中央付近を縦目地止水部２側に延出させることによって形成される。
【００３７】
この底面部３１は、エプロン部３と一体に形成されるもので、図５に示すように、エプロン部３側から凹部２１の奥側向けて高くなる傾斜面に形成されている。
【００３８】
また、底面部３１の周縁には、図４，５に示すように、凹部２１の下端の外周縁に沿って立ち上げられる取付片３４が設けられている。そして、この取付片３４の外側に固定テープ３３を巻き付けることで、取付片３４が凹部２１に固定される。
【００３９】
このように構成された底面部３１は、凹部２１の底を傾斜面で塞ぐとともに、防水性を確保した状態で縦目地止水部２とエプロン部３とを連続させる。
【００４０】
次に、本実施の形態の防水部材１が装着される外壁４１の継目構造の構築方法について、図６，７を参照しながら説明する。
【００４１】
図６は、縦目地４２と横目地４３とが交差する箇所を拡大した斜視図である。この図６に示すように、横方向に隣接する外壁４１，４１間には縦目地４２の隙間が存在し、上下方向に隣接する外壁４１，４１間には横目地４３の隙間が存在する。
【００４２】
ここで、この横目地４３は、上側の外壁４１の下縁から垂下された横目地防水シート５によって覆われた状態となっている。この横目地防水シート５は、上述したブチルゴムとビニロン繊維とを積層させたゴム引布などの防水性材料によって帯状に形成されている。
【００４３】
そして、縦目地止水部２の離型紙２３ａ，２３ａを粘着層２３，２３から剥がし、縦目地止水部２の下端が縦目地４２と横目地４３との交差部１３の直上に配置されるように位置合わせをおこなって、凹部２１を縦目地４２に挿入する。
【００４４】
この凹部２１の挿入は、フランジ部２２，２２の裏面が、縦目地４２の両側の外壁４１，４１の表面に当接されるまでおこなう。この状態になると、凹部２１の両側縁の粘着層２３，２３が、外壁４１，４１側にそれぞれ接着される。
【００４５】
また、エプロン部３の離型紙３２ａを粘着層３２から剥がして、縦目地４２を挟んだ両側の横目地防水シート５，５の表面に、エプロン部３を接着させる。さらに、図７に示すように、横目地防水シート５，５の下縁から下方に突出されるエプロン部３の余剰部３ａは、カッターで切り離す。また、縦目地４２の両側の横目地防水シート５，５の上縁には、変成シリコーンなどのコーキング材６１を充填してコーキング部６を形成する。
【００４６】
さらに、外壁４１，４１間に装着された防水部材１の凹部２１には、同じ長さのガスケット７を挿入する。このガスケット７は、ＥＰＤＭ（エチレン−プロピレン−ジエン−ターポリマ）などの対候性の高い合成ゴム、天然ゴム、軟質ウレタン樹脂、軟質塩化ビニル樹脂、アクリル酸樹脂などによって成形される。
【００４７】
このようにして構築される外壁４１の継目構造は、縦目地止水部２とガスケット７とによって縦継目１０が形成され、横目地防水シート５とエプロン部３とによって横継目１２が形成され、縦継目１０と横継目１２とが交差する交差部１３も防水部材１によって防水構造となる。
【００４８】
次に、本実施の形態の防水部材１、外壁４１の継目構造及びユニット建物４０の作用について説明する。
【００４９】
このように構成された本実施の形態の防水部材１は、縦目地４２に挿入される凹部２１が防水性材料によって形成された縦目地止水部２と、その下端に横方向に延設される防水性材料のエプロン部３とを備えている。また、縦目地止水部２とエプロン部３との間は、底面部３１によって防水性が確保された状態で連続されている。
【００５０】
このため、外壁４１，４１間の継目に防水部材１を装着するだけで、縦目地４２と横目地４３（４４）とが交差する交差部１３を含めて防水性が高い継目構造を構築することができる。
【００５１】
また、縦目地止水部２を縦目地４２の全長にわたって挿入可能な長さに形成することで、縦目地４２に接続部のない連続した防水構造を一度に形成することができる。
【００５２】
さらに、縦目地止水部２のフランジ部２２，２２付近に粘着層２３，２３が形成されていれば、縦目地４２に縦目地止水部２を挿入するだけで、粘着層２３，２３を介して外壁４１，４１側に縦目地止水部２を容易に固定させることができる。
【００５３】
また、エプロン部３の裏面に粘着層３２が形成されていれば、離型紙３２ａを剥がしてエプロン部３を横目地防水シート５に押し付けるだけで、外壁４１側に容易にエプロン部３を固定させることができる。
【００５４】
また、縦目地止水部２の凹部２１にガスケット７を挿入することで、縦継目１０を２重の防水構造にすることができる。さらに、横目地防水シート５にエプロン部３を積層させることで、横継目１１（１２）と縦継目１０とを連続した防水構造にすることができる。
【００５５】
また、このような防水部材１を使うことで、工場で製作された建物ユニット４，・・・を現地に搬送して構築されるユニット建物４０に対しても、容易に防水性の高い継目構造を構築することができる。
【００５６】
さらに、既設の住宅を増築する際にも、この防水部材１を使うことができる。図８に、２つの増築パターンのユニット建物４０Ａ，４０Ｂを示した。
【００５７】
まず、図８（ａ）に示したユニット建物４０Ａは、建物ユニット４，・・・によってＬ字状に建設された既設の住宅に対して、隅角部に２つの建物ユニット４Ａ，４Ａを追加することによって増築される。
【００５８】
この増築をおこなう際には、既設の建物ユニット４の外壁と、追加する建物ユニット４Ａの外壁との間に防水部材１を装着することになる。詳細には、図８（ａ）に示した交差部１３，・・・に防水部材１，・・・がそれぞれ配設されるようにし、上述したような防水性の高い継目構造を構築する。
【００５９】
また、図８（ｂ）に示したユニット建物４０Ｂでは、建物ユニット４，・・・によって構成された既設の住宅の１階に隣接してサンルームなどを増築するために、２つの建物ユニット４Ｂ，４Ｂを追加している。
【００６０】
このような増築をおこなう際には、既設の建物ユニット４の外壁と建物ユニット４Ｂの外壁との間、及び建物ユニット４Ｂ，４Ｂの外壁間に防水部材１を装着することになる。詳細には、図８（ｂ）に示した交差部１３，・・・に防水部材１，・・・がそれぞれ配設されるようにし、上述したような防水性の高い継目構造を構築する。
【００６１】
このように本実施の形態の防水部材１を使うことによって、建物ユニット４Ａ（４Ｂ）を追加してユニット建物４０Ａ（４０Ｂ）に増築する場合にも、継目構造の防水性を少ない工数で容易に高めることができる。
【００６２】
以上、図面を参照して、本発明の実施の形態を詳述してきたが、具体的な構成は、この実施の形態に限らず、本発明の要旨を逸脱しない程度の設計的変更は、本発明に含まれる。
【００６３】
例えば、前記実施の形態では、ユニット建物４０，４０Ａ，４０Ｂの外壁の継目構造について説明したが、これに限定されるものではなく、在来工法によって建設される住宅などにも本発明を適用することができる。
【００６４】
また、前記実施の形態では、縦目地４２と略同じ長さの縦目地止水部２を備えた防水部材１について説明したが、これに限定されるものではなく、エプロン部３と同程度の長さの縦目地止水部が形成された防水部材を交差部１３に装着し、縦目地４２の残りの部分に別体の縦目地用防水材を挿入し、その下部を縦目地止水部の上部に重ねて接合させることで、防水性が確保された縦継目１０を構築することができる。
【００６５】
さらに、前記実施の形態では、凹部２１の両側縁に粘着層２３，２３を形成したが、これに限定されるものではなく、フランジ部２２，２２の裏面に粘着層２３，２３を形成することもできる。
【符号の説明】
【００６６】
１              防水部材
１０            縦継目
１１，１２      横継目
１３            交差部
２              縦目地止水部
２１            凹部
２２            フランジ部
２３            粘着層
３              エプロン部
３１            底面部
３２            粘着層
４，４Ａ，４Ｂ  建物ユニット
５              横目地防水シート
７              ガスケット
４０，４０Ａ，４０Ｂ  ユニット建物
４１            外壁
４２            縦目地
４３，４４      横目地
【図１】
2010255269.tif 000003
【図２】
2010255269.tif 000004
【図３】
2010255269.tif 000005
【図４】
2010255269.tif 000006
【図５】
2010255269.tif 000007
【図６】
2010255269.tif 000008
【図７】
2010255269.tif 000009
【図８】
2010255269.tif 000010